(57)【特許請求の範囲】
【請求項１】
互いに接続される一方の管の端部に形成された受口に、他方の管の端部に形成された挿口が挿入されて管同士が接続され、これらの接続された管が、管の受口が上方に向く姿勢で縦穴内に縦方向に接続されて配設される管継手であって、前記受口の開口側端面にスペーサが取り付けられており、前記スペーサは、管軸心方向に対して開口側ほど細径となるように傾斜するテーパ面を有し、前記テーパ面が、受口の開口部と同じ大きさで開口されているスペーサの開口部が設けられている箇所から、受口の外周面に接続された箇所まで、全周にわたって形成されていることを特徴とする管継手。
【請求項２】
互いに接続される一方の管の端部に形成された受口に、他方の管の端部に形成された挿口が挿入されて管同士が接続され、これらの接続された管が、管の受口が上方に向く姿勢で縦穴内に縦方向に接続されて配設される管継手に設けられるスペーサであって、前記受口の開口側端面に取り付けられており、管軸心方向に対して開口側ほど細径となるように傾斜するテーパ面を有し、前記テーパ面が、受口の開口部と同じ大きさで開口されているスペーサの開口部が設けられている箇所から、受口の外周面に接続された箇所まで、全周にわたって形成されていることを特徴とする管継手用のスペーサ。
【発明の詳細な説明】
【技術分野】
【０００１】
本発明は、管同士を互いに接続する管継手の構造に関するもので、特に、縦穴に管を縦方向に配管する場合に用いられる管継手や管継手用のスペーサに関する。
【背景技術】
【０００２】
ダクタイル製の鋳鉄管などの管同士を接続する管継手の一種として、図７に示すように、互いに接続される一方の管１Ａの端部に受口２を形成するとともに、他方の管１Ｂの端部に受口２に挿入される挿口４を形成し、これら受口２の内周面と挿口４の外周面との間で環状のシール材５を圧縮して配設するなどして、受口２と挿口４とで管同士を接続する構造は、既に知られている（特許文献１など）。また、図示しないが、このシール材５に加えて、受口２と挿口４とが離脱しないようにロックリングを受口２と挿口４との間に配設した接続構造も知られている。なお、受口２の開口側端面２ａは、管軸心に直交する平坦面とされている。
【０００３】
一般に、この種の管は横方向に配設されて接続され、上水道管や下水道管として用いられる。
ところで、この種の管の使用用途を広げるものとして、地中に縦向きに掘った井戸用などの縦穴内に、取水用配管として管を縦姿勢で配設することが提案されている。この場合には、図８に示すように、受口２が上方を向くように管１Ａを配設し、この上向きの管１Ａ内に次の管１Ｂの挿口４を挿入して接続しながら管１Ａ、１Ｂ同士を順次接続して下方に延ばしていく。そして、縦穴６内に縦向きに接続した管１Ａ、１Ｂ・・・を配設し終わった後には、管１Ａ、１Ｂ・・・と縦穴６との間の隙間を埋めるべく砂利などの充填材７を充填し、縦穴６内で管１Ａ、１Ｂ・・・が良好に保持させるよう構成している。
【先行技術文献】
【特許文献】
【０００４】
【特許文献１】実開平４−１３３０９２号公報
【発明の概要】
【発明が解決しようとする課題】
【０００５】
しかしながら、従来の管継手の構造では、管１Ａ、１Ｂ・・・を縦穴６内に配設した状態で、受口２の開口側端面２ａが上方に向けて水平に広がる姿勢で配置されるので、管１Ａ、１Ｂ・・・を縦穴６内に配設した後に、砂利などの充填材７を縦穴６の上端の開口部から落とし込んでゆくと、砂利などの充填材７が、受口２の開口側端面２ａに堆積するとともに成長して、管１Ａ、１Ｂ・・・と縦穴６との間の隙間をブリッジ状に塞いでしまうことがある。この場合には、閉塞部分から下方に砂利などの充填材７が落下せず、管１Ａ、１Ｂ・・・と縦穴６との間が中空状態となるおそれがある。
【０００６】
本発明は、上記課題を解決するもので、縦穴内に縦向きに管を配設して、縦穴と管との間に砂利などの充填材を充填する場合において、砂利などの充填材が受口の開口側端面に堆積することを防止できる管継手および管継手用のスペーサを提供することを目的とする。
【課題を解決するための手段】
【０００８】
上記課題を解決するために、本発明の管継手は、互いに接続される一方の管の端部に形成された受口に、他方の管の端部に形成された挿口が挿入されて管同士が接続され、これらの接続された管が、管の受口が上方に向く姿勢で縦穴内に縦方向に接続されて配設される管継手であって、前記受口の開口側端面にスペーサが取り付けられており、前記スペーサは、管軸心方向に対して開口側ほど細径となるように傾斜するテーパ面を有し、前記テーパ面が、受口の開口部と同じ大きさで開口されているスペーサの開口部が設けられている箇所から、受口の外周面に接続された箇所まで、全周にわたって形成されていることを特徴とする。
【０００９】
また、本発明の管継手用のスペーサは、互いに接続される一方の管の端部に形成された受口に、他方の管の端部に形成された挿口が挿入されて管同士が接続され、これらの接続された管が、管の受口が上方に向く姿勢で縦穴内に縦方向に接続されて配設される管継手に設けられるスペーサであって、前記受口の開口側端面に取り付けられており、管軸心方向に対して開口側ほど細径となるように傾斜するテーパ面を有し、前記テーパ面が、受口の開口部と同じ大きさで開口されているスペーサの開口部が設けられている箇所から、受口の外周面に接続された箇所まで、全周にわたって形成されていることを特徴とする。
【００１０】
上記構成によれば、受口の開口側端面に取り付けられたスペーサに、管軸心方向に対して開口側ほど細径となるように傾斜するテーパ面が形成されているので、管を、この管の受口が上方となる姿勢で縦穴内に配設すると、スペーサの上端となる箇所にテーパ面の最も細径となる部分が位置し、かつ、この細径の先端からテーパ面により外周側ほど下方に広がるように傾斜して配置されることとなる。したがって、管を縦穴内に配設した後、砂利などの充填材を縦穴の上端の開口部から落とし込まれた際に、砂利などの充填材が、前記テーパ面上に落ちた場合でも、このテーパ面に沿って外周側から、管と縦穴との間の隙間にスムースに流れ落ちて、管と縦穴との間に中空部を生じることなく充填材が良好に充填される。
【発明の効果】
【００１１】
以上のように本発明によれば、受口の開口側端面に取り付けられたスペーサに、管軸心方向に対して開口側ほど細径となるように傾斜するテーパ面を形成することにより、管を縦穴内に配設した後に、砂利などの充填材を縦穴の上端の開口部から落とし込んでいった際でも、砂利などの充填材が、途中で堆積して管と縦穴との間が中空状態のままとなることが防止されて、縦穴と管との間に良好に充填され、縦穴内で管が良好に保持されて信頼性が向上する。
【図面の簡単な説明】
【００１２】
【図１】本発明の実施の形態に係る管継手の断面図である。
【図２】同管継手の部分切欠斜視図である。
【図３】同管継手を縦穴内に配設した状態を示す要部断面図である。
【図４】本発明の他の実施の形態に係る管継手およびスペーサを示す断面図である。
【図５】同管継手およびスペーサの部分切欠斜視図である。
【図６】同管継手およびスペーサを縦穴内に配設した状態を示す要部断面図である。
【図７】従来の管継手の断面図である。
【図８】同従来の管継手を縦穴内に配設した状態を示す要部断面図である。
【発明を実施するための形態】
【００１３】
以下、本発明の実施の形態に係る管継手および管継手用のスペーサを図面に基づき説明する。なお、上述した従来の管継手の構成要素と同様な機能の構成要素には、同符号を付す。
【００１４】
図１、図２において、１Ａ、１Ｂは当該管継手を介して互いに接続されるダクタイル製の鋳鉄管などからなる管で、一方の管１Ａの端部に受口２が形成されるとともに、他方の管１Ｂの端部に受口２に挿入される挿口４が形成され、これら受口２の内周面と挿口４の外周面との間でシール材５が圧縮状態で配設されて、管１Ａ、１Ｂ同士が接続されるとともにシールされている。また、受口２の内周面にはシール材収容溝８が形成され、このシール材収容溝８にゴムなどの弾性を有するシール材５が配設されている。
【００１５】
ここで特に、図１、図２に示すように、受口２の開口側端部には、管軸心方向に対して開口側ほど細径となるように傾斜するテーパ面２ｂが形成されている。また、この実施の形態では、テーパ面２ｂが、受口２の開口部２ｃが設けられている箇所から受口２の外周面２ｄまで、全周にわたって設けられている。したがって、図３に示すように、管１Ａ、１Ｂ・・・を、その受口２が上方に向く姿勢で順次接続しながら、地中に縦向きに掘った井戸用などの縦穴６内に配設すると、受口２の開口部２ｃが設けられている受口２の上端（先端）は、受口２の開口部２ｃとテーパ面２ｂとが接続される最も細径となった部分が位置することとなり、かつ、この細径の先端からテーパ面２ｂによって外周側ほど下方に広がるように傾斜して配置されることとなる。
【００１６】
したがって、井戸用などの縦穴６内に、取水用配管として縦姿勢で管１Ａ、１Ｂ・・・を配設した後、砂利などの充填材７を縦穴６の上端の開口部から落とし込んだ際に、充填材７が受口２のテーパ面２ｂ上に落ちた場合でも、この充填材７が受口２に堆積することなく、テーパ面２ｂに沿って外周側にスムースに流れ落ち、その後続けて、管１Ａ、１Ｂ・・・と縦穴６との間の隙間に流れ落ちる。この結果、管１Ａ、１Ｂ・・・と縦穴６との間の隙間が、中空部を生じることなく充填材７で良好に充填されることとなり、縦穴６内で管１Ａ、１Ｂ・・・が良好に保持され、良好な信頼性が保たれる。
【００１７】
なお、図示しないが、井戸用の縦穴６内に縦姿勢で配設される取水用配管の下端部には、取水用孔が多数形成された取水管が配設され、この取水管の端部には挿口構造の管部が溶着されるなどして接続される。この挿口構造の管部の直上箇所には、例えば、両端部に受口が設けられた異形管が接続されるが、この両端部に受口が設けられた異形管として、少なくともその上方側に配設される受口に前記構成のテーパ面２ｂが形成されたものを用いると、この箇所でも、充填材７の中空部を生じることがなくて、好適である。
【００１８】
図４、図５は本発明の他の実施の形態に係る管継手を示すもので、この管継手の本体部分は、従来の管継手と同様に、受口２の開口側の端面２ａが管軸心に直交する平坦面とされている。しかしながら、本発明の実施の形態の管継手では、この受口２の開口側端面２ａに、管軸心方向に対して開口側ほど細径となるように傾斜するテーパ面９ａを有するスペーサ９が接着剤で貼り付けられるなどして取り付けられている。
【００１９】
なお、この実施の形態では、スペーサ９には、受口２の開口部２ｃと同じ大きさで開口部９ｂが形成されているが、スペーサ９のテーパ面９ａは、スペーサ９の開口部９ｂが設けられている箇所から、受口２の外周面２ｄに接続された箇所まで、全周にわたって形成されている。また、スペーサ９は軟質材のものであると、受口２の開口側の端面２ａに接着剤などにより簡単かつ容易に取り付けることができて作業性がよい利点を有するが、これに限るものではない。また、スペーサ９は環状のものであってもよいが、これに限るものではなく、断面三角形の棒状に長いものを切断して受口２の開口側の端面２ａに張り付けるなどしてもよい。また、スペーサ９は、受口２に挿口４を挿入する前に予め受口２に取り付けておくとよいが、これに限るものではなく、受口２に挿口４を挿入した後に、断面三角形の棒状に長いスペーサ９を挿口４に巻きつけるようにして受口２の開口側の端面２ａに張り付けてもよい。
【００２０】
図６に示すように、管１Ａ、１Ｂ・・・が、その受口２が上方に向く姿勢で順次接続されている管路を、縦穴６内に配設すると、スペーサ９のテーパ面９ａが外周側ほど下方に傾斜するように配設されることとなる。受口２の上方に設けられているスペーサ９における上端部（先端部）は、スペーサ９の開口部９ｂとテーパ面９ａとが接続される最も細径となった部分が位置することとなり、かつ、この細径の先端からテーパ面９ａによって外周側ほど下方に広がるように傾斜して配置され、受口２の外周面２ｄに続くこととなる。
【００２１】
この構成によっても、例えば、地中に縦向きに掘った井戸用の縦穴６内に、取水用配管として縦姿勢で管１Ａ、１Ｂ・・・を配設した後、砂利などの充填材７を縦穴６の上端の開口部から落とし込んだ際に、充填材７がスペーサ９のテーパ面９ａ上に落ちた場合でも、この充填材７が堆積することなく、テーパ面９ａに沿って外周側にスムースに流れ落ち、その後続けて、管１Ａ、１Ｂ・・・と縦穴６との間の隙間に流れ落ちる。この結果、管１Ａ、１Ｂ・・・と縦穴６との間の隙間が、中空部を生じることなく充填材７で良好に充填されることとなり、縦穴６内で管１Ａ、１Ｂ・・・が良好に保持され、良好な信頼性が保たれる。
【００２２】
なお、上記実施の形態では、受口２やスペーサ９のテーパ面２ｂ、９ａは断面形状が直線となるように一定の傾斜角度で傾斜している場合を図示したが、これに限るものではなく、断面形状が円弧形状などの曲線形状で（すなわち滑らかに変化する傾斜角度で）傾斜していてもよい。また、上記実施の形態では、受口２やスペーサ９のテーパ面２ｂ、９ａが受口２やスペーサ９の開口部２ｃ、９ｂが設けられている箇所から形成されている場合を述べ、この場合には充填材７が途中で堆積することをより良好に防止することができるが、これに限るものではなく、受口２やスペーサ９のテーパ面２ｂ、９ａは、受口２の外周面に続く箇所であれば、堆積することを防止する効果を有する。また、上記実施の形態では、受口２にシール材５が配設されている場合を述べたが、受口と挿口を良好に接続できる構造ならば、本実施の形態に係るテーパ面２ｂを有する受口２の構造やテーパ面９ａを有するスペーサ９の構造を良好に適用できる。また、受口と挿口との間に離脱防止用のロックリングが配設された管継手に対しても同様な構造を適用可能である。
【符号の説明】
【００２３】
１Ａ、１Ｂ    管
２    受口
２ｂ    テーパ面
４    挿口
５    シール材
６    縦穴
７    充填材
９    スペーサ
９ａ    テーパ面
【図１】
0005618600.tif 000002
【図２】
0005618600.tif 000003
【図３】
0005618600.tif 000004
【図４】
0005618600.tif 000005
【図５】
0005618600.tif 000006
【図６】
0005618600.tif 000007
【図７】
0005618600.tif 000008
【図８】
0005618600.tif 000009